(57)【特許請求の範囲】
【請求項１】
ケーシングの吸込口の内面側に沿って配されたフィルターと、該フィルターを清掃する清掃手段と、該清掃手段に対して前記フィルターを移動させるための移動経路と、前記移動経路の一部を構成するガイド部とを備え、前記ガイド部の一端側を中心に他端を回動させることにより、移動経路をケーシング外方に向けて開口させる空気調和機であって、
前記ガイド部は、前記フィルターの表面側に配設される表面部材と、前記フィルターの裏面側に配設される裏面部材とからなり、前記表面部材を回動させることにより、リンク機構を介して前記裏面部材が回動し、前記移動経路を開口させた状態において、ガイド部の一端側から他端側に向って、表面部材と裏面部材の間の幅が広くなるようにしたことを特徴とする空気調和機。
【請求項２】
前記リンク機構は、前記表面部材が所定角度まで回動した後に、表面部材の回動に伴って前記裏面部材が回動するようにしたことを特徴とする請求項１に記載の空気調和機。
【請求項３】
前記裏面部材とともに所定角度回動させた表面部材を、その状態で固定保持する保持機構が設けられたことを特徴とする請求項２に記載の空気調和機。
【請求項４】
前記表面部材が前記保持機構によって固定保持された状態において、前記裏面部材は、前記リンク機構によって、表面部材に対して一定角度傾斜した状態で保持されることを特徴とする請求項３に記載の空気調和機。
【請求項５】
前記保持機構は、前記表面部材の回動を規制することを特徴とする請求項３又は４に記載の空気調和機。
【発明の詳細な説明】
【技術分野】
【０００１】
本発明は、フィルターの清掃を行うことができる空気調節装置に関する。
【背景技術】
【０００２】
空気調和機には、室内機のケーシングの吸込口の内面側に沿ってフィルターが設けられている。フィルターは、吸込口から吸引された空気中の塵埃を除去し、ケーシング内に塵埃が侵入するのを防ぐことができる。フィルターが汚れると、目詰まりにより空気調和機の空調能力が低下してしまうので清掃する必要がある。
【０００３】
そこで、フィルター清掃を自動的に行うことのできる空気調和機がある。例えば、特許文献１には、ケーシングの吸込口の内面側に沿って配された板状のフィルターと、該フィルターを清掃する清掃手段と、該清掃手段に対して前記フィルターを移動させるための移動経路とが設けられた空気調節装置であって、前記移動経路の一部を構成するガイド片が設けられ、ガイド片は、その一端側に設けられた回動部を中心として他端を回動させることにより、移動経路をケーシング外に開口させる空気調節装置（空気調和機）が開示されている。
【０００４】
これにより、フィルターを往復動させることにより、フィルターの全面をフィルター清掃部で自動的に清掃することができるとともに、ガイド片がケーシング外に開口させることで、フィルターを取り外した後に、フィルターを再度取り付ける場合に、簡単にフィルターを移動経路内に挿入することができる。そして、フィルターを往復動させることにより、フィルターの全面をフィルター清掃部で自動的に清掃することができるとともに、ガイド片がケーシング外に開口させることで、フィルターを取り外した後に、フィルターを再度取り付ける場合に、簡単にフィルターを移動経路内に挿入することができる。
【特許文献１】特開２００７−１４７１２２号公報
【発明の開示】
【発明が解決しようとする課題】
【０００５】
しかしながら、特許文献１記載の空気調和機では、ガイド片がケーシング外に開口されてはいるものの、ガイド片を構成する内ガイド及び外ガイドが一体的に形成されているため、ガイド片の開口部は、フィルターの移動経路の幅と略同じである。よって、開口部はフィルターを挿入するために十分に幅が広く取られておらず、そのため、フィルターの挿入に手間がかかっていた。
【０００６】
本発明は、上記課題に鑑み、フィルターを開口部へ挿入することが容易な空気調和機を提供することを目的とする。
【課題を解決するための手段】
【０００７】
上記目的を達成するため、本発明に係る空気調和機は、ケーシングの吸込口の内面側に沿って配されたフィルターと、該フィルターを清掃する清掃手段と、該清掃手段に対して前記フィルターを移動させるための移動経路と、前記移動経路の一部を構成するガイド部とを備え、前記ガイド部の一端側を中心に他端を回動させることにより、移動経路をケーシング外方に向けて開口させる空気調和機であって、
前記ガイド部は、前記フィルターの表面側に配設される表面部材と、前記フィルターの裏面側に配設される裏面部材とからなる。
【０００８】
上記構成によれば、ガイド部が表面部材と裏面部材とに別体に設けられており、表面部材と裏面部材とをそれぞれ回動させ、移動経路をケーシング外方に向けて開口させることができる。また、フィルターを挿入するときに、フィルターが表面部材に当ると、表面部材が開方向に回動して開口部が大きくなるので、フィルターを挿入しやすくなる。
【０００９】
本発明の空気調和機においては、前記移動経路を開口させた状態において、ガイド部の一端側から他端側に向って、表面部材と裏面部材の間の幅が広くなるようにすることを特徴とする。
【００１０】
すなわち、移動経路が閉じた状態では、移動経路の幅は全体的に大体同じになるように設定され、表面部材と裏面部材とは間隔をあけて対面するように配置される。そこで、移動経路が開口する方向に、表面部材と裏面部材とをそれぞれで開回動させることにより、移動経路の開口部となるガイド部の幅（表面部材と裏面部材の幅）を、ガイド部の一端側から他端側に向って広くなるようにすることが可能となる。
【００１１】
いいかえれば、ガイド部（開口部）の内面を、出入口側から奥に向って狭くなるようにテーパ状に形成することができ、フィルターを容易に移動経路内に挿入することが可能となる。
【００１２】
また、本発明の空気調和機においては、表面部材を回動させることにより、リンク機構を介して裏面部材が回動する構成とすることを特徴とする。このような構成にすれば、表面部材を回動させることで、裏面部材も回動させることができ、操作性がよくなる。
【００１３】
また、本発明の空気調和機では、前記リンク機構は、表面部材が所定角度まで回動した後に、表面部材の回動に伴って前記裏面部材が回動するような構成とするのが好ましい。
【００１４】
上記構成によれば、表面部材が所定角度回動するまで、裏面部材は回動しない。したがって、表面部材を回動させるだけで、ガイド部の一端側から他端側に向って、表面部材と裏面部材の幅が広くなるようにすることが可能となる。
【００１５】
さらにその状態で表面部材と裏面部材とをともに回動させることにより、ガイド部をケーシング外方に向けることが可能となり、フィルターを移動経路内にスムーズに導入することが可能となる。
【００１６】
また、ガイド部を移動経路として機能させる時には、表面部材を逆方向に回動させればよい。これにより、表面部材と裏面部材の幅を狭めて両者を元の平行状態（表面部材と裏面部材との間隔がほぼ一定となる状態）に戻すことができる。
【００１７】
本発明の空気調和機においては、裏面部材とともに所定角度回動させた表面部材を、その状態で固定保持する保持機構が設けられることが好ましい。このような構成にすれば、フィルターの挿入時に、移動経路の開口部であるガイド部の幅を十分な広さに維持できるので、フィルターを挿入しやすくなる。
【００１８】
また、本発明の空気調和機においては、表面部材が前記保持機構によって固定保持された状態において、前記裏面部材は、前記リンク機構によって、表面部材に対して一定角度傾斜した状態で保持されるようにしてもよい。
【００１９】
このような構成にすれば、表面部材のみを保持する保持機構だけで、表面部材と、裏面部材との成す角度を所定角度に保つことができ、リンク機構により、裏面部材を保持するので、別途裏面部材を保持する保持機構を必要しない。
【００２０】
また、本発明の空気調和機においては、前記保持機構は、前記表面部材の回動を規制するようにしてもよい。このような構成にすれば、表面部材が回動しすぎることを防止できる。また、別途回動規制部材を設ける必要がない。なお、前記ガイド部を構成する表面部材と裏面部材が、同一の回動軸回りに回動自在となるようにしてもよい。
【発明の効果】
【００２１】
本発明に係る空気調和機は、フィルターを移動させる移動経路の一部を、表面部材と裏面部材からなるガイド部によって構成し、該ガイド部の一端側を中心に他端を開回動させることにより、移動経路をケーシング外方へ向けて開口させるようにしたため、簡単にフィルターを移動経路内に挿入することができる。
【発明を実施するための最良の形態】
【００２２】
以下、本発明の実施形態を図面に基づいて説明する。図１は本発明に係る空気調和機の室内機の斜視図、図２は図１のA-A断面図、図３は図２においてガイド部が開いた状態を示す断面図、図４は図１のB-B断面図、図５は図４においてガイド部が開いた状態を示す断面図、図６はガイド手段及び清掃手段からなるユニットを示す斜視図、図７は図１のA-A断面におけるガイド部の斜視図、図８は図１のA-A断面におけるガイド部の拡大断面図、図９は図７のガイド部が開いた状態を示す図、図１０は図８のガイド部が開いた状態を示す図、図１１は保持機構を示す拡大斜視図、図１２は図１１の保持機構の保持状態を示す図、図１３はフィルターの斜視図、図１４は図１３の要部拡大図、図１５はフィルターの正面図である。
【００２３】
本空気調和機は、室内機１と室外機（図示せず）とから構成される。室内機１は、熱交換器２や室内ファン３等が内装されるケーシング４を備える。図１〜６に示すように、ケーシング４は、その前面開口を開閉自在に支持された前パネル５と、ケーシング４の天面側に、室内空気を吸い込むために格子状に形成された吸込口６と、ケーシング４の前面下部に、熱交換された冷暖気を吹出すために形成された吹出口７とを備える。
【００２４】
吹出口７は、全面を導風パネル８によって覆われる。導風パネル８は、吹出口７及び吹出口７の上方までを覆う大きさとされる。導風パネル８の上端及び下端には回動軸が形成され、一方の回転軸を中心として他端側が回動する構造とされ、これにより所望の方向に風が吹出すようになっている。
【００２５】
ケーシング４の前面開口は、シート状のフィルター９をケーシング４内へ装着するための開口となる。前パネル５は、その上部がケーシング４の側面に回動自在に固定され、下部を上方へ引き上げることにより、ケーシング４前面を開放することができる。
【００２６】
図２に示すように、ケーシング４内には、吸込口６から吹出口７の間に通風路が形成され、この通風路には吸込口６側を上流側として、フィルター９、室内熱交換器２、送風ファン３がこの順に配置される。室内熱交換器２は、逆Ｖ字状に形成される。そして、ケーシング４内には、フィルター９を清掃する清掃手段１２が設けられる。
【００２７】
吸込口６は、ケーシング４天面の左右方向のほぼ全面に形成される。フィルター９は、吸込口６の内面に沿うように配される。具体的に、フィルター９は屈曲性を有しており、吸込口６の右半分をカバーする右フィルター９ｂと、吸込口６の左半分をカバーする左フィルター９ａとからなる。吸込口６から吸込まれた空気は、全てフィルター９を通過し、これにより空気中のごみや塵を除去する。
【００２８】
フィルター９ａ及び９ｂは、それぞれガイド手段１０によって支持される。ガイド手段１０は、ケーシング４の側壁１７の内面側、ケーシング４の略中央を前後方向に橋渡しする中央体１８の両側面のそれぞれに設けられ、これにより、左右フィルター９ａ、９ｂの左右両端部をそれぞれ支持する構造とされる。
【００２９】
ガイド手段１０は、吸込口６の内面近傍でフィルター９を支持するだけでなく、フィルター９移動のための移動経路Ａとしても機能する。すなわち、ガイド手段１０は、ケーシング４の吸込口６に沿って設けられ（領域１０ａ）、そこからさらに前方側に延設される。具体的には、図２及び図３に示すように、ガイド手段１０は、領域１０ａの前方側では下方に傾斜して前パネル５の近傍まで至り（領域１０ｂ）、そこから内側にＵ字状に折り返して（領域１０ｃ）、領域１０ｂと熱交換器２との間を通って吸込口６近傍に至る（領域１０ｄ）ように形成される。そして、各領域１０ａ〜１０ｄは、滑らかな曲線によって接続されている。
【００３０】
このようにガイド手段１０は、フィルター９が移動可能な移動経路Ａとして機能する。移動経路Ａは、領域１０ｂにおいて清掃手段１２を通過するように設けられ、ここで移動経路Ａを移動するフィルター９の清掃を行なう。ガイド手段１０と、清掃手段１２とは、図６に示すように、一体的に組立て可能とされ、これにより一つのユニットとして取扱われる。したがって、ガイド手段１０及び清掃手段１２は、ユニットとしてケーシング４内に組み付けられる。なお、図６においては、左右のガイド部５０、５０のうち、左のガイド部５０が閉じた状態を、右のガイド部５０が開いた状態を示す。
【００３１】
ガイド手段１０は、Ｕ字状に形成された移動経路Ａの内周側をガイドする内レール２１と、移動経路Ａの外周側をガイドする外レール２２とを備えている。このように形成されたガイド手段１０の内レール２１と外レール２２との間にフィルター９の左右両端部を挟持すれば、フィルター９の移動が略Ｕ字状となるように誘導することができる。
【００３２】
移動経路Ａの長さは、フィルター９を下側へ移動させたときに、フィルター９の上側の端部が清掃手段１２に導入される位置まで達する長さを有するのが好ましい。このようにすることで、フィルター９の上端部まで清掃することができる。
【００３３】
また、領域１０ｃにおいて、領域１０ｂと領域１０ｃとの境界付近から、前パネル５に最も近づく位置にかけての部分は、内レール２１及び外レール２２の代わりに、移動経路Ａを開閉するためのガイド部５０が設けられる。ガイド部５０は、清掃手段１２よりもケーシングの前方側（前パネル５寄り）に設けられる。
【００３４】
ガイド部５０は、左フィルター９ａ側と右フィルター９ｂ側とにそれぞれ設けられる。ガイド部５０は、移動経路Ａが閉じた状態では、移動経路Ａの一部を構成し、移動経路Ａを開口させる際には、移動経路Ａの開口部として機能する。
【００３５】
ガイド部５０は、表面部材５２と、裏面部材５３とから構成される。表面部材５２および裏面部材５３は、フィルター９の左右方向（空気調和機の左右長手方向）に長い板状とされる。移動経路Ａが閉じた状態では、表面部材５３は外レール２２として、裏面部材５２は内レール２１として機能する。したがって、表面部材５２及び裏面部材５３は、フィルター９をガイドする表面は領域１０ｃの湾曲形状に合せて湾曲した形状とされる。
【００３６】
表面部材５２は、長手方向に沿う端部のうち、後端部（空気調和機を正面から見て上端部）に断面Ｃ字状の軸受５２ａが設けられている。清掃手段１２の前側には、軸方向が空気調和機の左右長手方向と平行なガイド軸５４が設けられている。軸受５２ａは、ガイド軸５４に装着され、ガイド軸５４を中心に回動可能とされている。すなわち、表面部材５２は、上端側（一端側）を中心に下端（他端）が回動可能とされる。
【００３７】
ガイド軸５４は、清掃手段１２に固定される。なお、清掃手段１２は左右長さ方向両端部において、ガイド手段１０に固定されており、これにより、ガイド軸５４と、ガイド手段１０との位置関係が固定される。
【００３８】
また、裏面部材５３も同様に、長手方向に沿う端部のうち、後端部（空気調和機を正面から見て上端部）において、断面Ｃ字状の軸受５３ａが設けられており、ガイド軸５４を中心に回動可能とされる。すなわち、表面部材５２および裏面部材５３は、上端側（一端側）において同一の回動軸を中心に下端（他端）が回動可能とされる。
【００３９】
表面部材５２と裏面部材５３とを、回動させない状態で移動経路Ａの一部として機能させるとき（閉姿勢時）には、表面部材５２と裏面部材５３とは間隔をあけて対面するように配置され、両者の間にフィルター９をガイドするための隙間が設けられる。この隙間は内レール２１と外レール２２に沿って誘導されるフィルター９が連続してスムーズに通ることができるように、ガイド部５０以外における移動経路Ａの幅Ｘとおおよそ同じになるように設定される。
【００４０】
上記ガイド部５０は、表面部材５２及び裏面部材５３の他端側（下端側）がケーシング前方に向くように回動（開回動）させることで、移動経路Ａを開口させることができる。このとき、ガイド部５０と領域１０ｂとがほぼ直線上に配列するため、ガイド部５０を出入口としてフィルター９を移動経路Ａ内に導入したり、移動経路Ａから導出することを容易に行なうことが可能となる。
【００４１】
実際に、ガイド部５０を開回動させるには、表面部材５２の下端部を引き上げるように回動操作することにより、リンク機構５５を介して、裏面部材５３が表面部材５２とともに回動する。
【００４２】
リンク機構５５について説明する。表面部材５２の左右両端には、表面部材５２の長手方向とほぼ平行に係合ピン５６が設けられる。また、裏面部材５３の左右両端には、裏面部材５３から略垂直方向に延びる受板５７が設けられている。受板５７には、表面部材の係合ピン５６が遊嵌される長孔形状の係合孔５８が設けられている。係合孔５８は、係合ピン５６を遊嵌した状態において、表面部材５２を開回動させる際に、係合ピン５６が回動する方向に対して遊びのある構造となっている。この係合ピン５６と係合孔５８とにより、リンク機構５５が構成されている。
【００４３】
なお、係合ピン５６と受板５７は、それぞれガイド軸５４に近い側に設けられているが、ガイド軸５４から遠い側に設けてもよい。なお、係合ピン５６と受板５７とをガイド軸５４に近い側に設ける構成にすれば、ガイド軸５４から遠い側に係合ピン５６と受板５７とを設けた場合に比べ、所定角度θ1を得るために必要な遊びの高さを小さくすることができる。したがって、空気調和機の内部で邪魔となりにくい。
【００４４】
上記構成のガイド部５０の動作について説明する。いま、ガイド部５０が閉姿勢にあるものとする。フィルター９の清掃やフィルター９の交換等を行うために、フィルター９を室内機から取り出す際、まず、前パネル５を開く。すると表面部材５２が露出する。表面部材５２には表面部材５２及び裏面部材５３を閉姿勢でロックするロック機構５９が設けられている。
【００４５】
本実施形態におけるロック機構５９は、図６に示すように、操作杆を左右方向へスライドさせることで、ロック／解除が切換可能な機構とされているが、これに限定されず、公知の機構であれば採用することができる。このロック機構５９を解除することで、表面部材５２の回動が可能となる。
【００４６】
図８に示すように、回動可能となった表面部材５２を開回動（図では時計回りに回動）させると、係合ピン５６も回動する。表面部材を回動させる表面部材５２と裏面部材５３とのなす角度が所定角度θ1となった中間位置Ｍにおいて係合ピン５６が係合孔５８に接触する。
【００４７】
裏面部材５３は、重力により閉じる方向に回動（閉回動）しようとするが、係合ピン５６が係合孔５８に接触した状態でそのまま表面部材５２の開回動を続けると、裏面部材５３もそれにつられて開回動する。
【００４８】
すなわち、図１０に示すように、表面部材５２が中間位置Ｍからさらに回動するときには、係合ピン５６と係合孔５８が接触した状態、言い換えれば所定角度θ1を保った状態で裏面部材５３が同時に開回動することとなる。そして、表面部材５２が中間位置Ｍからさらに所定角度θ2回動した時点で開姿勢とされる。
【００４９】
本実施形態においては、表面部材５２が裏面部材５３と同時に回動する際、表面部材５２と裏面部材５３とは、同軸（ガイド軸５４）まわりに回動することから、互いの相対的な位置関係が変化しないため、リンク機構を簡単な構造とすることができる。
【００５０】
上述のように、ガイド部５０の開姿勢においては、表面部材５２と裏面部材５３の間の幅は、上端側（一端側）がおおよそ幅Ｘで、下端側（他端側）が幅Ｘ１（Ｘ１＞Ｘ）となり、上端側から下端側に向って広くなる。すなわち、ガイド部５０の内面を、出入口５０ａ側から奥に向って狭くなるようにテーパ状に形成することができ、フィルター９を容易に移動経路Ａ内に挿入することが可能となる。
【００５１】
本実施形態においては、表面部材５２を開姿勢の状態で固定保持する保持機構６０が設けられる。保持機構６０は、表面部材５２の回動軌道に干渉するように形成された保持バー６１を備えている。保持バー６１は基部が清掃手段１２に固定され、先端部６１ａは半円球状に形成され、本体部６１ｂに対してほぼ直角になるように屈曲形成される。すなわち、先端部６１ａの軸方向が表面部材５２の長手方向とほぼ平行になるように形成されている。
【００５２】
一方、表面部材５２において、保持バー６１が当接する位置には、開口６２が形成される。開口６２は、保持バー６１の本体部６１ｂは通過可能ではあるが、先端部６１ａが開口端縁に接触するように形成される。また、保持バー６１は、開姿勢の表面部材５２に対して傾斜するように形成され、表面部材５２が開姿勢に達する直前に、先端部６１ａが開口６２端縁に当接するように形成される。
【００５３】
上記保持バー６１及び開口６２を備えた保持機構６０の動作について説明する。ガイド部５０を開回動させ、表面部材５２が開姿勢に近づくと、図１１に示すように、保持バー６１の先端部６１ａが表面部材５２に形成された開口６２の端縁に接触する。保持バー６１は合成樹脂で形成されており、弾性を有するため、先端部に外力が加わると容易に弾性変形して撓む。
【００５４】
従って、先端部６１ａが開口端縁に当接した状態で、そのまま表面部材５２の回動を続けると、先端部６１ａが開口６２の端縁に乗り上げながら後方に撓み、開口６２を乗り越えた時点でもとの状態にすばやく戻り、この姿勢でガイド部５０は保持バー６１によって保持される（図１２）。
【００５５】
これにより、保持バー６１の先端部６１ａが、表面部材５２の開口６２に引っ掛かった状態となり、表面部材５２から手を離しても、表面部材５２は開姿勢を保持する。このとき、裏面部材５３は、重力により閉じる方向に回動しようとするが、係合ピン５６が係合孔５８に接触した状態であるので、閉回動することできない。言い換えれば、リンク機構５５により、裏面部材５３が保持された状態となる。
【００５６】
そして、表面部材５２を保持機構６０に保持させることにより、表面部材５２と裏面部材５３との成す角度を所定角度θ1に保つことができる。この保持状態において、フィルター９を移動経路Ａから取り出す。
【００５７】
なお、開姿勢にある表面部材５２を、さらに開回動させようとした場合、開口６２端縁のうち、軸受５２ａに最も近い側の端縁が保持バー６１に接触するために表面部材５２の回動が規制される。すなわち、保持機構６０は表面部材５２の回動を規制するストッパーの役割も果たす。
【００５８】
フィルター９は、空気調和機の使用状態（フィルター９が吸込口６をカバーするように配置された状態）において、その先端がガイド部５０の下端とほぼ同位置になる長さとされる。ガイド部５０の開姿勢においては、図３及び図５に示すように、表面部材５２とともに裏面部材５３が回動することにより、フィルター９も裏面部材に押される形で回動する。したがって、ガイド部５０の開姿勢時には、フィルター９の先端は、ケーシング４の前方に向く形となり、容易に取り出すことが可能となる。
【００５９】
このように、裏面部材５２により、フィルター９の先端（前パネル側の先端）を空気調和機の奥まった場所から取り出しやすい場所に移動させることができる。これにより、フィルター９の先端を持ってフィルター９を取り出すことが容易になる。
【００６０】
表面部材５２を保持機構６０に保持させた状態において、表面部材５２と裏面部材５３との間隔は、出入口５０ａ側が大きく、奥側に向うにつれて小さくなる漏斗状（側面視）となっている。この奥側の間隔は、ガイド部５０以外の移動経路Ａと略同じ幅Ｘとなっており、出入口５０ａ側は奥側よりも大きい幅となっている。
【００６１】
よって、移動経路Ａの幅よりも大きい幅を持った出入口５０ａからフィルター９を容易に移動経路Ａ内に挿入することができる。本実施形態のようなセパレート型空気調和機の室内機は、壁面の高所に取り付けられていることが多い。そのため、フィルター９の取り出し挿入は困難なことが多い。
【００６２】
フィルター９は薄く、柔軟性があるので、撓みやすい。したがって、フィルター９の下部を持ってフィルター９を出入口５０ａから挿入しようすると、フィルター９が撓んでしまいやすいので、従来例のように、出入口の開口幅が移動経路Ａと略同じであると、挿入するのが難しい。
【００６３】
ところが本発明のように、出入口の開口幅を移動経路Ａの幅Ｘよりも大きくすることにより、フィルター９が多少撓んだとしてもフィルター９を開口内に入れることが容易になる。そして、開口先端から奥に向けて徐々に開口幅が狭くなるので、フィルターはそれに沿って奥に挿入されていき、移動経路に達するようになっている。
【００６４】
このようにして、フィルター９の挿入と取り出しを容易に行うことができる。
なお、ガイド部５０を移動経路の状態に戻すには、表面部材５２を閉回動方向に押すことにより、保持バー６１が撓んで開口６２からはずれる。そしてそのまま、押し続けて、移動経路状態にまで戻す。そして、ロック機構によりロックすればよい。
【００６５】
なお、本実施の形態では、リンク機構５５は、係合ピン５６と係合孔５８とにより構成されているが、係合孔５８を設ける代わりに、受板５７に突起部を設け、この突起部と係合ピン５６とが接触することでリンク機構を構成してもよい。この場合、突起部の下面が係合孔５８と係合ピン５６とが接触する位置にあれば、表面部材と裏面部材とが所定角度θ1となった状態で接触するようにすることができる。
【００６６】
或いは、受板５７にのみ突起部を設け、表面部材と裏面部材とが所定角度θ1となった状態でその突起部が表面部材５２の表面側に接触するようにしてリンク機構を構成してもよい。
【００６７】
本実施の形態では、表面部材を保持する保持機構６０のみを記載したが、裏面部材を保持する保持機構を同時に設けてもよい。また、本実施形態では、表面部材を保持する保持機構６０が存在する構成であったが、表面部材を保持する保持機構６０がなくてもよい。この場合、表面部材は保持されないが、代わりに裏面部材を保持する保持機構を設ける。
【００６８】
ガイドが開状態にあるとき、表面部材が重力により閉方向に回動しようとするので、ガイド部５０の表面部材と裏面部材との間隔は、移動経路状態と同じになる。このとき、フィルターを挿入しようとして、フィルターが表面部材に当ると、表面部材は開方向に回動可能であるので、フィルターにより開方向に回動するので、表面部材と裏面部材との幅が大きくなる。よって、このような構成であっても、フィルターを挿入しやすくなる。
【００６９】
なお、本実施の形態では、前記ガイド部を構成する表面部材と裏面部材が、外レール２２側に設けられた、同一の回動軸５４回りに回動自在としているが、回動軸を別としてもよい。例えば、表面部材は、外レール２２側に設けられた回動軸を中心に回動し、裏面部材は内レール２１側に設けられた回動軸を中心に回動するようにする。
【００７０】
フィルター９は、図１３及び図１５に示すように、フィルター網１３と、フィルター網１３の四方を支持するフィルター枠１４とから構成される。フィルター枠１４は、側方を支持する縦枠１４ａと、上方及び下方を支持する横枠１４ｂとから構成される。
【００７１】
図１４に示すように、縦枠１４ａは、側面視が波形状に形成される。波形状に形成することにより、縦枠１４ａの内面側には、凹凸が縦方向（移動方向）に形成される。一方、領域１０ｃにおいて、裏面部材５３の内側には、モーター３０によって回転するギア３２が設けられており、裏面部材５３の左右両端部を一部切欠いて、そこからギア３２が移動経路Ａ内に露出するようになっている（図６参照）。
【００７２】
そして、前記凹凸が、ギア３２に噛合するようになっている。ギア３２の回転により、フィルター９が前後に移動可能とされる。また、凹凸を波形状とすることにより、フィルター９が縦方向に撓みやすくなるため、フィルター９をＵ字状に折り返しやすくなる。
【００７３】
縦枠１４ａの内面側に形成される凹凸面の形状は、従動ギア３２の歯と噛み合わせが可能であればよいが、凹凸のピッチと従動ギア３２の歯のピッチとを同一にするのが好ましい。歯飛びをより効果的に防止することができる。
【００７４】
また、フィルター枠１４内を格子状に区切るようにリブ１５が設けられる。リブ１５は、フィルター網１３と固定され、フィルター網１３を支持する。フィルター９の反りや波うちを防止できる。リブ１５は、縦方向に配される縦リブ１５ａと、横方向に配される横リブ１５ｂとから構成される。縦リブ１５ａは肉薄に形成され、横リブ１５ｂは縦リブ１５ａに比べて肉厚に形成される。この構成により、フィルター９は、横方向の剛性を維持しつつ、縦方向には容易に屈曲可能とされる。
【００７５】
また、図１４に示すように、横リブ１５ｂと、フィルター枠１４の縦枠１４ａとの間にはスリット１６が設けられ、両者は不連続とされる。縦枠１４ａと、横リブ１５ｂとを不連続とすることにより、縦枠１４ａが横リブ１５ｂの影響をほとんど受けることがないので、フィルター９の縦方向における屈曲性を保持できる。また、フィルター枠１４の素材としては、可撓性のあるものであればよく、ポリプロピレン（ＰＰ）、ポリエチレンテレフタレート（ＰＥＴ）、軟質樹脂などの合成樹脂、ゴム、紙のいずれを用いてもよい。
【００７６】
フィルター９の上部には、吸込口６から吸込まれた空気を通過させるフィルター網１３が張設されているが、フィルター９の下部には、フィルター網１３の代わりに薄い樹脂製シート１３ａが張設され、フィルター下部は空気が通過しない構造とされている。なお、樹脂製シート１３ａは、縦リブ１５ａと同様に厚みが薄く形成されており、これによりフィルター９全体にわたって縦方向の屈曲性が確保されている。なお、フィルター９の全面にフィルター網１３を張設する形態としてもよい。
【００７７】
清掃手段１２は、ガイド手段１０の領域１０ｂに設けられる。領域１０ｂは直線状に形成されているので、清掃手段１２にフィルター９を取付けやすい。さらに、清掃手段１２がケーシング４の前面側に設けられるので、清掃手段１２にフィルター９を取り付けやすい。
【００７８】
清掃手段１２は、断面形状が略コの字状の上ケース３７および下ケース３８から構成され、上ケース３７及び下ケース３８の凹部を対向させた状態で、ケーシング４の前方を横方向に橋渡しするようにしてケーシング４に固定される。
【００７９】
上ケース３７と下ケース３８との間には隙間があり、この隙間をフィルター９が走行可能とされる。上ケース３７及び下ケース３８とフィルター９表面との間は、きわめて狭い間隔を保っている。吸引部３４の左右両端は開口されている。すなわち、全体としてボックス状に形成された清掃手段１２をフィルター９が通過可能な構成とされている。
【００８０】
清掃手段１２の長さ方向両端部のうち、一端部は開放され、他端部には吸引装置３５が接続される。吸引装置３５は、吸引ファンからなり、室外と連通するダクト（図示せず）に連結される。吸引ファンを回転させることにより吸引力が発生し、清掃手段１２でフィルター９の塵埃を吸引することができる。吸引した空気はダクトから外部に排気される。
【００８１】
また、上ケース３７及び下ケース３８の間隔は、フィルター９の横リブ１５ｂの間隔と略同一に設定される。上ケース３７及び下ケース３８の側壁と、横リブ１５ｂとが重なったときに、清掃手段１２内が略密閉した空間となるので、吸引力がアップする。
【００８２】
以上の構成によると、フィルター９の清掃時には、ギア３２の回転により、フィルター９が前方に移動される。このとき、ケーシング４前方でＵ字状に折り返すようにガイド手段１０により移動経路Ａが形成されているので、前方移動に伴い、湾曲しながらフィルター９の前端が後方側（下流側）へ誘導され、フィルター９全面の清掃を行なうことができる。
【図面の簡単な説明】
【００８３】
【図１】本発明に係る空気調和機の室内機の斜視図
【図２】図１のA-A断面図
【図３】図２においてガイド部が開いた状態を示す断面図
【図４】図１のB-B断面図
【図５】図４においてガイド部が開いた状態を示す断面図
【図６】ガイド手段及び清掃手段からなるユニットを示す斜視図
【図７】図１のA-A断面におけるガイド部の斜視図
【図８】図１のA-A断面におけるガイド部の拡大断面図
【図９】図７のガイド部が開いた状態を示す図
【図１０】図８のガイド部が開いた状態を示す図
【図１１】保持機構を示す拡大斜視図
【図１２】他の実施形態のフィルターの縦枠の側面図
【図１３】フィルターの斜視図
【図１４】図１３の要部拡大図
【図１５】フィルターの正面図
【符号の説明】
【００８４】
Ａ  移動経路
１  室内機
２  熱交換器
３  室内ファン
４  ケーシング
５  前パネル
６  吸込口
７  吹出口
８  導風パネル
９  フィルター
１０  ガイド手段
１２  清掃手段
１３  フィルター網
１３ａ  樹脂製シート
１４  フィルター枠
１４ａ  縦枠
１４ｂ  横枠
１４ｃ  凸部
１４ｄ  溝部
１５  リブ
１５ａ  縦リブ
１５ｂ  横リブ
１７  側壁
１８  中央体
１９  ガイド部
２０  ストッパー
２１  内レール
２２  外レール
３０  モーター
３２  従動ギア
３５  吸引装置
３７  上ケース
３８  下ケース
５０  ガイド部
５２  表面部材
５３  裏面部材
５４  ガイド軸
５５  リンク機構
５６  係合ピン
５７  受板
５８  係合孔
５９  ロック機構
６０  保持機構
６１  保持バー
６２  開口
【図１】
0004309450.tif 000002
【図２】
0004309450.tif 000003
【図３】
0004309450.tif 000004
【図４】
0004309450.tif 000005
【図５】
0004309450.tif 000006
【図６】
0004309450.tif 000007
【図７】
0004309450.tif 000008
【図８】
0004309450.tif 000009
【図９】
0004309450.tif 000010
【図１０】
0004309450.tif 000011
【図１１】
0004309450.tif 000012
【図１２】
0004309450.tif 000013
【図１３】
0004309450.tif 000014
【図１４】
0004309450.tif 000015
【図１５】
0004309450.tif 000016